(57)【要約】【課題】ころ軸受の組立が容易な一対のころ軸受用保持器を提供する。【解決手段】外輪（ローラ）１５の両端部にそれぞれ配置され、外輪（ローラ）１５の内周面に配置された複数のころ１４を保持する複数のポケット１６ａが互いに対向する側に設けられた一対のころ軸受用保持器１６，１６において、一対のころ軸受用保持器１６，１６は、ポケット１６ａの位置を整合させる複数の平坦部（ポケット位置整合部）２１ａがフランジ部１６ｂの外周面に設けられている。【選択図】　　図２
2004028134.tif 000002
【特許請求の範囲】
【請求項１】
外輪の両端部にそれぞれ配置され、前記外輪の内周面に配置された複数のころを保持する複数のポケットが互いに対向する側に設けられた一対のころ軸受用保持器において、
前記一対のころ軸受用保持器は、前記ポケットの位置を整合させるポケット位置整合部が設けられていることを特徴とする一対のころ軸受用保持器。
【請求項２】
外輪の両端部にそれぞれ配置され、前記外輪の内周面に配置された複数のころを保持する複数のポケットが互いに対向する側に設けられた一対のころ軸受用保持器において、
前記一対のころ軸受用保持器は、隣接する前記ポケットを分離する部分の先端に面取りまたは丸みが設けられていることを特徴とする一対のころ軸受用保持器。
【発明の詳細な説明】
【０００１】
【発明の属する技術分野】
本発明は、外輪の両端部にそれぞれ配置され、外輪の内周面に配置された複数のころを保持する複数のポケットが互いに対向する側に設けられた一対のころ軸受用保持器に関するものである。
【０００２】
【従来の技術】
本出願人は、先願である特願２００１−２４２５１６号として「チェーン」に関する出願をしている。この先願（特願２００１−２４２５１６号）には、外輪の両端部にそれぞれ配置され、外輪の内周面に配置された複数のころを保持する複数のポケットが互いに対向する側に設けられた一対のころ軸受用保持器が開示されている。
【０００３】
図１７はこの先願（特願２００１−２４２５１６号）に開示された一対のころ軸受用保持器を使用するころ軸受を組み込んだチェーンの断面図である。図１８は図１７に示す一対のころ軸受用保持器の内の一方（他方も同じ）を示すもので、（Ａ）はその側面図であり、（Ｂ）はその正面図である。
【０００４】
図１７に示すチェーン１は、一対の内プレート２，２に両端部が連結されたブシュ３の外周面に複数のころ４が配置され、複数のころ４を囲んでローラ５が装着されている。また、図１７に示すように、ローラ５の両端部にそれぞれ略リング状の保持器６が配置されている。図１８（Ａ），（Ｂ）に示すように、この一対の保持器６，６は略リング状をしており、一側面には複数のポケット６ａが形成されており、外周部にフランジ部６ｂを備えている。この複数のポケット６ａは各ころ４の端部を保持・案内している。また、一対の内プレート２，２の外側に一対の外プレート７，７が配置され、一対の外プレート７，７がブシュ３を貫通するピン８によって連結されている。また、ローラ５とブシュ３間にはグリース等の潤滑剤が充填されている。そして、このチェーン１において、ローラ５がころ軸受の外輪として機能し、複数のころ４がころ軸受の転動体として機能し、ブシュ３がころ軸受の内輪として機能しており、したがって、ローラ５と複数のころ４とブシュ３と一対の略リング状の保持器６，６とでころ軸受を構成している。
【０００５】
さらに、本出願人は、別の先願である特願２００１−０３４２８３号として「ころ軸受及びころ軸受を組み込んだローラチェーン」に関する出願をしている。この別の先願（特願２００１−０３４２８３号）にも、外輪の両端部にそれぞれ配置され、外輪の内周面に配置された複数のころを保持する複数のポケットが互いに対向する側に設けられた一対のころ軸受用保持器が開示されている。
【０００６】
図１９はこの別の先願（特願２００１−０３４２８３号）に開示された一対のころ軸受用保持器を使用するころ軸受を組み込んだチェーンの断面図である。図２０は図１９に示す一対のころ軸受用保持器の内の一方（他方も同じ）を示すもので、（Ａ）はその断面図であり、（Ｂ）はその正面図である。
【０００７】
図１９に示すチェーン１は、一対の内プレート２，２に両端部が連結されたブシュ３の外周面に複数のころ４が配置され、複数のころ４を囲んでローラ５が装着されている。また、図１９に示すように、ローラ５の両端部にそれぞれ略リング状の保持器６が配置されている。図２０（Ａ），（Ｂ）に示すように、この一対の保持器６，６は略リング状をしており、一側面には凹部６ｄが形成されており、この凹部６ｄに連続して半円状の複数のポケット６ａが形成されている。この複数のポケット６ａは各ころ４の端部を保持・案内している。また、一対の内プレート２，２の外側に一対の外プレート７，７が配置され、一対の外プレート７，７がブシュ３を貫通するピン８によって連結されている。また、ローラ５とブシュ３間にはグリース等の潤滑剤が充填されている。そして、このチェーン１において、ローラ５がころ軸受の外輪として機能し、複数のころ４がころ軸受の転動体として機能し、ブシュ３がころ軸受の内輪として機能しており、したがって、ローラ５と複数のころ４とブシュ３と一対の略リング状の保持器６，６とでころ軸受を構成している。
【０００８】
そして、図１７及び図１９に示すころ軸受を一対のころ軸受用保持器６，６を使用して組み立てるには、図２１に示す組立方法または図２２に示す組立方法により行なわれる。
【０００９】
図２１は一対のころ軸受用保持器６，６を使用してころ軸受を組み立てる組立方法を示す概略斜視図で、（Ａ）はころ４を挿入する前の状態を示し、（Ｂ）はころ４を１本挿入した後の状態を示している。この組立方法は、まず、外輪（ローラ）５の両端部にそれぞれころ軸受用保持器６を嵌めて、それぞれのポケット６ａを整合させた後、整合した両ポケット６ａ，６ａに亘ってころ４を水平に装填する組立方法である。
【００１０】
図２２は一対のころ軸受用保持器６，６を使用してころ軸受を組み立てる別の組立方法を示す一部破断した概略斜視図で、（Ａ）は一対のころ軸受用保持器６，６の内の上方のころ軸受用保持器６を外輪（ローラ）５に嵌める前の状態を示し、（Ｂ）は上方のころ軸受用保持器６を外輪（ローラ）５に嵌めて、ころ軸受の組立を終了した状態を示す。この組立方法は、外輪（ローラ）５の下端部に下方のころ軸受用保持器６を嵌め、次に、下方のころ軸受用保持器６のポケット６ａに外輪（ローラ）５の長手方向からころ４を垂直に装填し、その後、上方のころ軸受用保持器６のポケット６ａが垂直に装填したころ４に嵌合するように調整した後、上方のころ軸受用保持器６を外輪（ローラ）５に嵌める組立方法である。
【００１１】
【発明が解決しようとする課題】
しかしながら、図１７及び図１９に開示されたころ軸受は、図２１あるいは図２２に示すいずれの組立方法によっても、一対のころ軸受用保持器６，６が左右あるいは上下に離れて配置されているため、ころ軸受の組立時に各保持器６の互いに対向するポケット６ａの位置が整合していなければころ４を装填できない。ところが、互いに対向する一対のころ軸受用保持器６，６のポケット６ａの位置を整合させるには手間がかかり、組立時の生産性が悪いという問題点がある。さらに、互いに対向する一対のころ軸受用保持器６，６のポケット６ａ，６ａ間にころ４が斜めに挿入される可能性があり、その場合、外輪（ローラ）５が正確に回転しないという問題点がある。また、図２２に示す組立方法では、上方のころ軸受用保持器６を外輪（ローラ）５の上端部に嵌める際に、上方のころ軸受用保持器６の柱６ｃ（すなわち、隣接するポケットを分離する部分）の先端がころ４の先端に当って押しつけられることで、上方のころ軸受用保持器６の柱６ｃが最悪の場合折れる恐れがあるという問題点がある。
【００１２】
そこで、本発明は、前記問題点を解決し、ころ軸受の組立が容易な一対のころ軸受用保持器を提供することを目的とするものである。
【００１３】
【課題を解決するための手段】
請求項１記載の発明は、前記問題点を解決するために、外輪の両端部にそれぞれ配置され、前記外輪の内周面に配置された複数のころを保持する複数のポケットが互いに対向する側に設けられた一対のころ軸受用保持器において、前記一対のころ軸受用保持器は、前記ポケットの位置を整合させるポケット位置整合部が設けられているものである。
【００１４】
請求項２記載の発明は、前記問題点を解決するために、外輪の両端部にそれぞれ配置され、前記外輪の内周面に配置された複数のころを保持する複数のポケットが互いに対向する側に設けられた一対のころ軸受用保持器において、前記一対のころ軸受用保持器は、隣接する前記ポケットを分離する部分の先端に面取りまたは丸みが設けられているものである。
【００１５】
請求項１記載の発明によれば、ころ軸受を組み立てるとき、一対のころ軸受用保持器のポケットの位置が整合しているので、ポケットへのころの挿入を容易にかつ確実に行なうことができ、ころ軸受の組立性が向上する。また、ポケット位置整合部に保持器毎に特徴を持たすことで、異なる保持器が混入しても容易に識別することができるので、保持器の部品間違いが起こらない。さらに、ポケットの数とポケット位置整合部の数が同じであれば、ころ軸受の組立時にそのころの個数を判断しやすいので、ころの入れ忘れがなくなる。
【００１６】
請求項２記載の発明によれば、ころをポケットに挿入するとき、一対のころ軸受用保持器の内の一方の保持器の柱の先端がころの先端にぶつかることがなく、ころを無理やりポケットに装填することがないので、一対のころ軸受用保持器を破損することがなく、ころ軸受の組立性が向上する。
【００１７】
【発明の実施の形態】
本発明の実施の形態１に係る一対のころ軸受用保持器について図面を参照して説明する。
【００１８】
その前に、本発明の実施の形態１に係る一対のころ軸受用保持器１６，１６が適用されるころ軸受を組み込んだチェーンについて、図１に基づいて以下に説明する。図１は本発明の実施の形態１に係る一対のころ軸受用保持器１６，１６が適用されるころ軸受を組み込んだチェーンの断面図である。
【００１９】
図１に示すチェーン１１は、一対の内プレート１２，１２に両端部が連結されたブシュ１３の外周面に複数のころ１４が配置され、複数のころ１４を囲んでローラ１５が装着されている。また、図１に示すように、ローラ１５の両端部にそれぞれ略リング状の保持器１６が配置されている。この一対の保持器１６，１６は略リング状をしており、互いに対向する側に複数のポケット１６ａが形成されており、外周部にフランジ部１６ｂを備えている。この複数のポケット１６ａは各ころ１４の端部を保持・案内している。また、一対の内プレート１２，１２の外側に一対の外プレート１７，１７が配置され、一対の外プレート１７，１７がブシュ１３を貫通するピン１８によって連結されている。また、ローラ１５とブシュ１３間にはグリース等の潤滑剤が充填されている。そして、このチェーン１１において、ローラ１５がころ軸受の外輪として機能し、複数のころ１４がころ軸受の転動体として機能し、ブシュ１３がころ軸受の内輪として機能しており、したがって、ローラ１５と複数のころ１４とブシュ１３と一対の略リング状の保持器１６，１６とでころ軸受を構成している。
【００２０】
本発明の実施の形態１に係る一対のころ軸受用保持器１６，１６について以下に説明する。図２は本発明の実施の形態１に係る一対のころ軸受用保持器１６，１６の内の一方（他方も同じ）の斜視図である。図２に示す一方のころ軸受用保持器１６は、略リング状をしており、他方のころ軸受用保持器１６（図示しない）と対向する側に複数のポケット１６ａが形成されており、外周部にフランジ部１６ｂを備えている。そして、フランジ部１６ｂには複数の平坦部２１ａが形成されており、さらに、この複数の平坦部２１ａはそれぞれ各ポケット１６ａに対応する位置に形成されている。この複数の平坦部２１ａは後述することからも明らかなように、対向する各ポケット１６ａの位置を整合させるポケット位置整合部として機能する。
【００２１】
図２に示すころ軸受用保持器１６を使用してころ軸受を組み立てるには、図３に示す組立方法により行なうことができる。図３は図２に示すころ軸受用保持器１６を使用してころ軸受を組み立てる組立方法を示す概略斜視図で、（Ａ）はころを水平に挿入する前の状態を示し、（Ｂ）はころを水平に１本挿入した後の状態を示す。図３に示すころ軸受の組立方法には治具４１を使用する。治具４１には、左右に一対の平面部４１ａ，４１ａが設けられている。そして、図３に示すころ軸受の組立方法は、まず、図３（Ａ）に示すように、外輪（ローラ）１５の両端部にそれぞれころ軸受用保持器１６を嵌め、治具４１の左右の一対の平面部４１ａ，４１ａにそれぞれ、ころ軸受用保持器１６の複数の平坦部２１ａのいずれかを当接させる。この当接により、対向する一対のころ軸受用保持器１６，１６の各ポケット１６ａの位置が整合する。その後、図３（Ｂ）に示すように、整合した各ポケット１６ａ内にころ１４を水平に１本挿入する。ころ１４を１本挿入した後も順次ころ１４を挿入してころ軸受の組立は終了する。なお、図３（Ａ）に示す状態、すなわち、ころ１４を挿入する前に、グリースを外輪（ローラ）１５内または各ポケット１６ａ内に塗布しておくことにより、グリースの粘着力によりころ１４の脱落を防止することができる。
【００２２】
また、図２に示すころ軸受用保持器１６を使用してころ軸受を組み立てるには、図４に示す別の組立方法により行なうこともできる。図４は図２に示すころ軸受用保持器１６を使用してころ軸受を組み立てる別の組立方法を示す一部破断した概略斜視図で、（Ａ）は一対のころ軸受用保持器１６，１６の内の上方のころ軸受用保持器１６を外輪（ローラ）１５に嵌める前の状態を示し、（Ｂ）は上方のころ軸受用保持器１６を外輪（ローラ）１５に嵌めて、ころ軸受の組立を終了した状態を示す。図４に示すころ軸受の別の組立方法には治具４２を使用する。治具４２には、上下に一対の平面部４２ａ，４２ａが設けられており、上方の平面部４２ａの面積は下方の平面部４２ａの面積より大きく形成されている。そして、図４に示すころ軸受の別の組立方法は、まず、図４（Ａ）に示すように、縦方向に設置した外輪（ローラ）１５の下端部に下方のころ軸受用保持器１６を嵌める。次に、外輪（ローラ）１５の下端部に嵌め込んだ下方のころ軸受用保持器１６の各ポケット１６ａにころ１４をそれぞれ垂直に差し込む。なお、ころ１４を差し込む前に、グリースを外輪（ローラ）１５の内周面または各ポケット１６ａ内に塗布しておくことにより、グリースの粘着力によりころ１４の内側への倒れこみを防止することができる。次に、ころ１４の差し込みが終了した下方のころ軸受用保持器１６の複数の平坦部２１ａのいずれかを治具４２の下方の平面部４２ａに当接させる。次に、図４（Ａ）に示すように、上方のころ軸受用保持器１６の複数の平坦部２１ａのいずれかを治具４２の上方の平面部４２ａに当接させる。この状態で、上方及び下方のころ軸受用保持器１６，１６の各ポケット１６ａは上下方向に整合している。したがって、この状態で、治具４２の上方の平面部４２ａに沿って上方のころ軸受用保持器１６を下方に下げると、図４（Ｂ）に示すように、ころ１４の上端部が上方のころ軸受用保持器１６の各ポケット１６ａに挿入される。このようにして、ころ軸受の組立は終了する。
【００２３】
図２に示すころ軸受用保持器１６によれば、対向する各ポケット１６ａの位置を整合させるポケット位置整合部として複数の平坦部２１ａが形成されているので、この平坦部２１ａを利用することにより、対向する各ポケット１６ａの位置を簡単に整合させることができ、ころ軸受の組立を容易にすることができる。また、複数の平坦部２１ａは、ポケット１６ａの数と同じ数だけ形成されているので、ころ軸受の組立時にそのころ１４の個数を判断しやすいので、ころ１４の入れ忘れがなくなる。
【００２４】
次に、本発明の実施の形態２〜８に係る一対のころ軸受用保持器１６，１６について、順次以下に説明する。また、本発明の実施の形態２〜８に係る一対のころ軸受用保持器１６，１６も図１に示すころ軸受を組み込んだチェーンに適用される。
【００２５】
まず、本発明の実施の形態２に係る一対のころ軸受用保持器１６，１６について以下に説明する。図５は本発明の実施の形態２に係る一対のころ軸受用保持器１６，１６の内の一方（他方も同じ）の斜視図である。図５に示すころ軸受用保持器１６は、フランジ部１６ｂに１個の平坦部２１ａが形成されている点でのみ、図２に示すころ軸受用保持器１６と相違している。また、図５に示すころ軸受用保持器１６は図２に示すころ軸受用保持器１６と同様に、図３または図４に示すころ軸受の組立方法が適用でき、ころ軸受の組立を容易にすることができる。したがって、詳細な説明は省略する。
【００２６】
次に、本発明の実施の形態３に係る一対のころ軸受用保持器１６，１６について以下に説明する。図６は本発明の実施の形態３に係る一対のころ軸受用保持器１６，１６の内の一方（他方も同じ）の斜視図である。図６に示すころ軸受用保持器１６は、フランジ部１６ｂの外周に１個の半円形切り欠き部２１ｂが形成されている。この１個の半円形切り欠き部２１ｂもポケット１６ａに対応する位置に形成されている。また、図６に示すころ軸受用保持器１６は、図３または図４に示すころ軸受の組立方法が適用できるが、その際、図３または図４に示す治具４１または４２に半円形切り欠き部２１ｂと係合する図示しない係合部を設けておく必要がある。このようにすることにより、１個の半円形切り欠き部２１ｂも、対向する各ポケット１６ａの位置を整合させるポケット位置整合部として機能するものであり、図６に示すころ軸受用保持器１６もころ軸受の組立を容易にすることができる。したがって、詳細な説明は省略する。
【００２７】
次に、本発明の実施の形態４に係る一対のころ軸受用保持器１６，１６について以下に説明する。図７は本発明の実施の形態４に係る一対のころ軸受用保持１６，１６の内の一方（他方も同じ）の斜視図である。図７に示すころ軸受用保持器１６は、ころ軸受用保持器１６の内径側に軸方向に伸びる内径側突出部２１ｃが形成されている。この内径側突出部２１ｃもポケット１６ａに対応する位置に形成されている。この内径側突出部２１ｃも後述することからも明らかなように、対向する各ポケット１６ａの位置を整合させるポケット位置整合部として機能する。
【００２８】
図７に示すころ軸受用保持器１６を使用してころ軸受を組み立てるには、図８に示す組立方法により行なうことができる。図８は図７に示すころ軸受用保持器１６を使用してころ軸受を組み立てる組立方法を示す一部破断した概略斜視図である。図８に示すころ軸受の組立方法には治具４３を使用する。治具４３は略円柱状をしており、その長手方向全長に亘って凹部４３ａが形成されている。そして、図８に示すころ軸受の組立方法は、まず、縦方向に設置した外輪（ローラ）１５の下端部に下方のころ軸受用保持器１６を嵌める。次に、外輪（ローラ）１５の下端部に嵌め込んだ下方のころ軸受用保持器１６の各ポケット１６ａにころ１４をそれぞれ垂直に差し込む。なお、ころ１４を差し込む前に、グリースを外輪（ローラ）１５の内周面または各ポケット１６ａ内に塗布しておくことにより、グリースの粘着力によりころ１４の内側への倒れこみを防止することができる。次に、ころ１４の差し込みが終了した下方のころ軸受用保持器１６の内径側突出部２１ｃ（図示されていない）に、治具４３の凹部４３ａが嵌合するように治具４３を差し込む。次に、上方のころ軸受用保持器１６をその内径側突出部２１ｃが治具４３の凹部４３ａに嵌合するように嵌め込む。この状態で、上方及び下方のころ軸受用保持器１６，１６の各ポケット１６ａは上下方向に整合している。したがって、この状態で治具４３に沿って上方のころ軸受用保持器１６を下方に下げると、ころ１４の上端部が上方のころ軸受用保持器１６の各ポケット１６ａに挿入される。このようにして、ころ軸受の組立は終了する。
【００２９】
図７に示すころ軸受用保持器１６によれば、対向する各ポケット１６ａの位置を整合させるポケット位置整合部として内径側突出部２１ｃが形成されているので、この内径側突出部２１ｃを利用することにより、対向する各ポケット１６ａの位置を簡単に整合させることができ、ころ軸受の組立を容易にすることができる。
【００３０】
次に、本発明の実施の形態５に係る一対のころ軸受用保持器１６，１６について以下に説明する。図９は本発明の実施の形態５に係る一対のころ軸受用保持器１６，１６の内の一方（他方も同じ）の斜視図である。図９に示すころ軸受用保持器１６は、ころ軸受用保持器１６のフランジ１６ｂの側面に突起部２１ｄが形成されている。この突起部２１ｄもポケット１６ａに対応する位置に形成されている。この突起部２１ｄも後述することからも明らかなように、対向する各ポケット１６ａの位置を整合させるポケット位置整合部として機能する。
【００３１】
図９に示すころ軸受用保持器１６を使用してころ軸受を組み立てるには、図１０に示す組立方法により行なうことができる。図１０は図９に示すころ軸受用保持器１６を使用してころ軸受を組み立てる組立方法を示す一部破断した概略斜視図である。図１０に示すころ軸受の組立方法には治具４４を使用する。治具４４には上部と下部に位相が一致した嵌合穴４４ａが形成されている。ただし、下部の嵌合穴４４ａは図示されていない。そして、図１０に示すころ軸受の組立方法は、まず、縦方向に設置した外輪（ローラ）１５の下端部に下方のころ軸受用保持器１６を嵌める。次に、外輪（ローラ）１５の下端部に嵌め込んだ下方のころ軸受用保持器１６の突起部２１ｄを治具４４の下部の嵌合穴４４ａに嵌める。次に、外輪（ローラ）１５の下端部に嵌め込んだ下方のころ軸受用保持器１６の各ポケット１６ａにころ１４をそれぞれ垂直に差し込む。なお、ころ１４を差し込む前に、グリースを外輪（ローラ）１５の内周面または各ポケット１６ａ内に塗布しておくことにより、グリースの粘着力によりころ１４の内側への倒れこみを防止することができる。次に、上方のころ軸受用保持器１６の突起部２１ｄを上部の嵌合穴４４ａに嵌め込む。この状態で、上方及び下方のころ軸受用保持器１６，１６の各ポケット１６ａは上下方向に整合している。したがって、この状態で、治具４４に沿って上方のころ軸受用保持器１６を下方に下げると、ころ１４の上端部が上方のころ軸受用保持器１６の各ポケット１６ａに挿入される。このようにして、ころ軸受の組立は終了する。
【００３２】
図９に示すころ軸受用保持器１６によれば、対向する各ポケット１６ａの位置を整合させるポケット位置整合部として突起部２１ｄが形成されているので、この突起部２１ｄを利用することにより、対向する各ポケット１６ａの位置を簡単に整合させることができ、ころ軸受の組立を容易にすることができる。
【００３３】
次に、本発明の実施の形態６に係る一対のころ軸受用保持器１６，１６について以下に説明する。図１１は本発明の実施の形態６に係る一対のころ軸受用保持器１６，１６の内の一方（他方も同じ）の斜視図である。図１１に示すころ軸受用保持器１６は、ころ軸受用保持器１６のフランジ１６ｂの外周面または側面に他の部分と異なる色の色彩部２１ｅが形成されている。この色彩部２１ｅもポケット１６ａに対応する位置に形成されている。この色彩部２１ｅも後述することからも明らかなように、対向する各ポケット１６ａの位置を整合させるポケット位置整合部として機能する。
【００３４】
図１１に示すころ軸受用保持器１６を使用してころ軸受を組み立てるには、図１２に示す組立方法により行なうことができる。図１２は図１１に示すころ軸受用保持器１６を使用してころ軸受を組み立てる組立方法を示す一部破断した概略斜視図である。図１２に示すころ軸受の組立方法には治具４５を使用する。治具４５には、上部に色彩検知センサ４５ａが設けられている。そして、図１２に示すころ軸受の組立方法は、まず、治具４５上に下方のころ軸受用保持器１６を載置する。次に、色彩検知センサ４５ａで色彩部２１ｅを検出し、下方のころ軸受用保持器１６の位置を決める。次に、位置決めされた下方のころ軸受用保持器１６に外輪（ローラ）１５の下端部を嵌める。次に、外輪（ローラ）１５の下端部を嵌め込んだ下方のころ軸受用保持器１６の各ポケット１６ａにころ１４をそれぞれ垂直に差し込む。なお、ころ１４を差し込む前に、グリースを外輪（ローラ）１５の内周面または各ポケット１６ａ内に塗布しておくことにより、グリースの粘着力によりころ１４の内側への倒れこみを防止することができる。次に、上方のころ軸受用保持器１６を回転させ、色彩検知センサ４５ａが上方のころ軸受用保持器１６色彩部２１ｅを検出したところで、回転を停止する。この状態で、上方及び下方のころ軸受用保持器１６，１６の各ポケット１６ａは上下方向に整合している。したがって、この状態で、治具４５に沿って上方のころ軸受用保持器１６を下方に下げると、ころ１４の上端部が上方のころ軸受用保持器１６の各ポケット１６ａに挿入される。このようにして、ころ軸受の組立は終了する。
【００３５】
図１１に示すころ軸受用保持器１６によれば、対向する各ポケット１６ａの位置を整合させるポケット位置整合部として色彩部２１ｅが形成されているので、この色彩部２１ｅを利用することにより、対向する各ポケット１６ａの位置を簡単に整合させることができ、ころ軸受の組立を容易にすることができる。
【００３６】
また、図１１に示すころ軸受用保持器１６は、ポケット位置整合部としてフランジ１６ｂの外周面または側面に他の部分と異なる色の色彩部２１ｅが形成されているが、変形例として、フランジ１６ｂの外周面または側面に他の部分と表面粗さが異なる部分を形成してこの部分をポケット位置整合部としてもよく、この変形例の場合は図示しない接触針を当接することによりその表面粗さの差を検出することができる。さらに、別の変形例として、フランジ１６ｂの外周面または側面に他の部分と硬度が異なる部分を形成してこの部分をポケット位置整合部としてもよく、この別の変形例の場合は図示しない接触球を当接することによりその硬度差を検出することができる。
【００３７】
次に、本発明の実施の形態７に係る一対のころ軸受用保持器１６，１６について以下に説明する。図１３は本発明の実施の形態７に係る一対のころ軸受用保持器１６，１６の内の一方（他方も同じ）の斜視図である。図１３に示すころ軸受用保持器１６は、ころ軸受用保持器１６の柱１６ｃに内、１本が短い柱２１ｈで形成されている。この短い柱２１ｈも後述することから明らかなように、対向する各ポケット１６ａの位置を整合させるポケット位置整合部として機能する。
【００３８】
図１３に示すころ軸受用保持器１６を使用してころ軸受を組み立てるには、図１４に示す組立方法により行なう。図１４は図１３に示すころ軸受用保持器１６を使用してころ軸受を組み立てる組立方法を示す一部破断した概略斜視図である。図１４に示すころ軸受の組立方法には、治具４６を使用する。治具４６は平板部ａ上に円筒部４６ｂが設けられている。そして、図１４に示すころ軸受の組立方法は、まず、下方のころ軸受用保持器１６を円筒部４６ｂ嵌めて平板部ａ上に載置する。次に、図示しないセンサで下方のころ軸受用保持器１６の短い柱２１ｈを検出し、下方のころ軸受用保持器１６の位置を決める。次に、位置決めされた下方のころ軸受用保持器１６に外輪（ローラ）１５の下端部を嵌める。次に、外輪（ローラ）１５の下端部を嵌め込んだ下方のころ軸受用保持器１６の各ポケット１６ａにころ１４をそれぞれ垂直に差し込む。なお、ころ１４を差し込む前に、グリースを外輪（ローラ）１５の内周面または各ポケット１６ａ内に塗布しておくことにより、グリースの粘着力によりころ１４の内側への倒れこみを防止することができる。次に、上方のころ軸受用保持器１６を回転させ、図示しないセンサで上方のころ軸受用保持器１６の短い柱２１ｈを検出したところで、回転を停止する。この状態で、上方及び下方のころ軸受用保持器１６，１６の各ポケット１６ａは上下方向に整合している。したがって、この状態で、上方のころ軸受用保持器１６を下方に下げると、ころ１４の上端部が上方のころ軸受用保持器１６の各ポケット１６ａに挿入される。このようにして、ころ軸受の組立は終了する。
【００３９】
図１３に示すころ軸受用保持器１６によれば、対向する各ポケット１６ａの位置を整合させるポケット位置整合部として短い柱２１ｈが形成されているので、この短い柱２１ｈを利用することにより、対向する各ポケット１６ａの位置を簡単に整合させることができ、ころ軸受の組立を容易にすることができる。
【００４０】
また、図１３に示すころ軸受用保持器１６は、ポケット位置整合部として短い柱２１ｈが形成されているが、変形例として、保持器の１本の柱に他の柱と形状が異なる部分を形成してこの部分をポケット位置整合部としてもよく、この変形例の場合も図示しないセンサあるいは検出器でその位置を検出することができる。
【００４１】
次に、本発明の実施の形態８に係る一対のころ軸受用保持器１６，１６について以下に説明する。図１５は本発明の実施の形態８に係る一対のころ軸受用保持器１６，１６の内の一方（他方も同じ）の斜視図である。図１５に示すころ軸受用保持器１６は、フランジ部１６ｂに１個の平坦部２１ａが形成され、さらに、ころ軸受用保持器１６の柱１６ｃ、すなわち、隣接するポケット１６ａを分離する部分の先端部に面取りまたは丸み３１が設けられている。
【００４２】
図１６は図１５に示すころ軸受用保持器１６を使用してころ軸受を組み立てる組立方法を示す一部破断した概略斜視図である。この図１６に示す組立方法には、図４に示す治具４２を使用する。この治具４２には、上下に一対の平面部４２ａ，４２ａが設けされており、上方の平面部４２ａの面積は下方の平面部４２ａの面積より大きく形成されている。そして、まず、縦方向に設置した外輪（ローラ）１５の下端部に下方のころ軸受用保持器１６を嵌める。次に、外輪（ローラ）１５の下端部に嵌め込んだ下方のころ軸受用保持器１６の各ポケット１６ａにころ１４をそれぞれ垂直に差し込む。なお、ころ１４を差し込む前に、グリースを外輪（ローラ）１５の内周面または各ポケット１６ａ内に塗布しておくことにより、グリースの粘着力によりころ１４の内側への倒れこみを防止することができる。次に、ころ１４の差し込みが終了した下方のころ軸受用保持器１６の平坦部２１ａを治具４２の下方の平面部４２ａに当接させる。次に、上方のころ軸受用保持器１６の平坦部２１ａを治具４２の上方の平面部４２ａに当接させる。この状態で、上方及び下方に位置するころ軸受用保持器１６，１６の各ポケット１６ａは上下方向に整合している。したがって、この状態で、治具４２の上方の平面部４２ａに沿って上方のころ軸受用保持器１６を下方に下げると、ころ１４の上端部が上方のころ軸受用保持器１６の各ポケット１６ａに挿入される。このようにして、ころ軸受の組立は終了する。
【００４３】
さらに、図１５に示すころ軸受用保持器１６は、ころ軸受用保持器１６の柱１６ｃ、すなわち、隣接するポケット１６ａを分離する部分の先端部に面取りまたは丸み３１が設けられているので、平坦部２１ａが治具４２の上方の平面部４２ａに当接していない場合、あるいは、フランジ部１６ｂに平坦部２１ａが形成されていない場合でも、ころ１４の上端部が上方のころ軸受用保持器１６の各ポケット１６ａに挿入されるとき、上方のころ軸受用保持器１６の柱１６ｃの先端部がころ１４の先端にぶつかることがなく、ころ１４を無理やり各ポケット１６ａに装填することがないので、上方のころ軸受用保持器１６を破損することがなく、ころ軸受の組立性が向上する。
【００４４】
なお、本発明の各実施の形態において、先端が球状のころまたは面取りされたころを使用する場合には、軸受の組立がより一層容易になる。
【００４５】
また、本発明の各実施の形態においては、ころが針状ころとして図示されているが、ころは針状ころに限定されるものではない。
【００４６】
また、本発明の実施の形態６，７においては、ポケット位置整合部を色センサまたはセンサによって検出しているが、ポケット位置整合部を作業者が目視によって確認することもできる。
【００４７】
また、本発明の各実施の形態に係る一対のころ軸受用保持器は、図１に示すチェーンに組み込まれるものであるが、いわゆるブシュレスチェーン、すなわちブシュを使用しないチェーンにも適用でき、さらに、他の用途のころ軸受にも適用できる。
【００４８】
【発明の効果】
請求項１記載の発明によれば、ころ軸受を組み立てるとき、一対のころ軸受用保持器のポケットの位置が整合しているので、ポケットへのころの挿入を容易にかつ確実に行なうことができ、ころ軸受の組立性が向上する。また、ポケット位置整合部に保持器毎に特徴を持たすことで、異なる保持器が混入しても容易に識別することができるので、保持器の部品間違いが起こらない。さらに、ポケットの数とポケット位置整合部の数が同じであれば、ころ軸受の組立時にそのころの個数を判断しやすいので、ころの入れ忘れがなくなる。
【００４９】
請求項２記載の発明によれば、ころをポケットに挿入するとき、一対のころ軸受用保持器の内の一方の保持器の柱の先端がころの先端にぶつかることがなく、ころを無理やりポケットに装填することがないので、一対のころ軸受用保持器を破損することがなく、ころ軸受の組立性が向上する。
【図面の簡単な説明】
【図１】本発明の実施の形態１に係る一対のころ軸受用保持器が適用されるころ軸受を組み込んだチェーンの断面図である。
【図２】本発明の実施の形態１に係る一対のころ軸受用保持器の内の一方（他方も同じ）の斜視図である。
【図３】図２に示すころ軸受用保持器を使用してころ軸受を組み立てる組立方法を示す概略斜視図で、（Ａ）はころを水平に挿入する前の状態を示し、（Ｂ）はころを水平に１本挿入した後の状態を示す。
【図４】図２に示すころ軸受用保持器を使用してころ軸受を組み立てる別の組立方法を示す一部破断した概略斜視図で、（Ａ）は一対のころ軸受用保持器の内の上方のころ軸受用保持器を外輪（ローラ）に嵌める前の状態を示し、（Ｂ）は上方のころ軸受用保持器を外輪（ローラ）に嵌めて、ころ軸受の組立を終了した状態を示す。
【図５】本発明の実施の形態２に係る一対のころ軸受用保持器の内の一方（他方も同じ）の斜視図である。
【図６】本発明の実施の形態３に係る一対のころ軸受用保持器の内の一方（他方も同じ）の斜視図である。
【図７】本発明の実施の形態４に係る一対のころ軸受用保持器の内の一方（他方も同じ）の斜視図である。
【図８】本発明の実施の形態４に係る一対のころ軸受用保持器を使用して、ころ軸受を組み立てる組立方法を示す一部破断した概略斜視図である。
【図９】本発明の実施の形態５に係る一対のころ軸受用保持器の内の一方（他方も同じ）の斜視図である。
【図１０】本発明の実施の形態５に係る一対のころ軸受用保持器を使用して、ころ軸受を組み立てる組立方法を示す一部破断した概略斜視図である。
【図１１】本発明の実施の形態６に係る一対のころ軸受用保持器の内の一方（他方も同じ）の斜視図である。
【図１２】本発明の実施の形態６に係る一対のころ軸受用保持器を使用して、ころ軸受を組み立てる組立方法を示す一部破断した概略斜視図である。
【図１３】本発明の実施の形態７に係る一対のころ軸受用保持器の内の一方（他方も同じ）の斜視図である。
【図１４】本発明の実施の形態７に係る一対のころ軸受用保持器を使用して、ころ軸受を組み立てる組立方法を示す一部破断した概略斜視図である。
【図１５】本発明の実施の形態８に係る一対のころ軸受用保持器の内の一方（他方も同じ）の斜視図である。
【図１６】本発明の実施の形態８に係る一対のころ軸受用保持器を使用して、ころ軸受を組み立てる組立方法を示す一部破断した概略斜視図である。
【図１７】先願（特願２００１−２４２５１６号）に開示された一対のころ軸受用保持器を使用するころ軸受を組み込んだチェーンの断面図である。
【図１８】図１７に示す一対のころ軸受用保持器の内の一方（他方も同じ）を示すもので、（Ａ）はその側面図であり、（Ｂ）はその正面図である。
【図１９】別の先願（特願２００１−０３４２８３号）に開示された一対のころ軸受用保持器を使用するころ軸受を組み込んだチェーンの断面図である。
【図２０】図１９に示す一対のころ軸受用保持器の内の一方（他方も同じ）を示すもので、（Ａ）はその断面図であり、（Ｂ）はその正面図である。
【図２１】一対のころ軸受用保持器を使用してころ軸受を組み立てる組立方法を示す概略斜視図で、（Ａ）はころを水平に挿入する前の状態を示し、（Ｂ）はころを水平に１本挿入した後の状態を示す。
【図２２】一対のころ軸受用保持器を使用してころ軸受を組み立てる別の組立方法を示す一部破断した概略斜視図で、（Ａ）は一対のころ軸受用保持器の内の上方のころ軸受用保持器を外輪（ローラ）に嵌める前の状態を示し、（Ｂ）は上方のころ軸受用保持器を外輪（ローラ）に嵌めて、ころ軸受の組立を終了した状態を示す。
【符号の説明】
１１　　チェーン
１２　　内プレート
１３　　ブシュ（内輪）
１４　　ころ
１５　　ローラ（外輪）
１６　　保持器
１６ａ　ポケット
１６ｂ　フランジ部
１６ｃ　保持器の柱
１７　　外プレート
１８　　ピン
２１ａ　平坦部
２１ｂ　半円形切り欠き部
２１ｃ　内径側突出部
２１ｄ　突起部
２１ｅ　他の部分と異なる色の色彩部
２１ｈ　他より短い柱
３１　　柱先端のアールまたは丸み
４１　　治具
４１ａ　平面部
４２　　治具
４２ａ　平面部
４３　　治具
４３ａ　凹部
４４　　治具
４４ａ　嵌合穴
４５　　治具
４５ａ　色彩センサ
４６　　治具
４６ａ　平板部
４６ｂ　円筒部
【図１】
2004028134.tif 000003
【図２】
2004028134.tif 000004
【図３】
2004028134.tif 000005
【図４】
2004028134.tif 000006
【図５】
2004028134.tif 000007
【図６】
2004028134.tif 000008
【図７】
2004028134.tif 000009
【図８】
2004028134.tif 000010
【図９】
2004028134.tif 000011
【図１０】
2004028134.tif 000012
【図１１】
2004028134.tif 000013
【図１２】
2004028134.tif 000014
【図１３】
2004028134.tif 000015
【図１４】
2004028134.tif 000016
【図１５】
2004028134.tif 000017
【図１６】
2004028134.tif 000018
【図１７】
2004028134.tif 000019
【図１８】
2004028134.tif 000020
【図１９】
2004028134.tif 000021
【図２０】
2004028134.tif 000022
【図２１】
2004028134.tif 000023
【図２２】
2004028134.tif 000024